(57)【特許請求の範囲】
【請求項１】
前面プレート上に、ダイヤル錠の錠機構を施錠、解錠するのに操作される複数個のダイヤルと、カムプレートを正逆各方向へ回動するのに操作されるつまみとが配置され、前記つまみは、前記錠機構が施錠状態のとき回動操作が規制され解錠状態のとき回動操作が許容されるようになっているダイヤル錠において、
前記前面プレートは、前記つまみが配置される位置に前面より突出する円筒状の筒壁が一体形成されており、前記筒壁の内側にはシリンダ錠が配置され、前記筒壁上には前記つまみが回動操作可能に被せられており、前記つまみは、筒壁の外周面に沿う外壁部と、筒壁の内周面に沿う内壁部と、筒壁の開口端面に沿う上壁部とを一体に有し、前記内壁部に前記シリンダ錠の外筒が一体に結合されるとともに、前記シリンダ錠の内筒に前記カムプレートが連結されており、前記シリンダ錠は、内筒の端面に、内筒と外筒との関わりを切って内筒を外筒内で回動自由にするための鍵の挿入口を有し、前記内筒の端面を前記つまみの上壁部により囲まれる開口部に臨ませてなるダイヤル錠。      
【請求項２】
前記つまみは、内壁部の対角位置に、先端に内向きの鉤状部を有するバネ板部を備え、前記鉤状部をシリンダ錠の外筒の外周面に形成された溝部に係合させることにより、つまみの内壁部にシリンダ錠の外筒が一体に結合されている請求項１に記載されたダイヤル錠。
【発明の詳細な説明】
【技術分野】
【０００１】
この発明は、ロッカーやキャビネットの扉などに組み付けられるダイヤル錠に関するもので、この発明は特に、施錠時や解錠時に回動操作されるつまみを備えたダイヤル錠に関する。
【背景技術】
【０００２】
典型的なダイヤル錠は、ダイヤル錠の錠機構が組み込まれる胴体部と、胴体部の開放部に被せられる前面プレートとを有している。前面プレート上には、前記錠機構を施錠、解錠するのに操作される複数個のダイヤルと、カムプレートを正逆各方向へ回動するのに操作されるつまみとが配置されている。前記つまみは、前記錠機構が施錠状態のとき回動操作が規制され、解錠状態のとき回動操作が許容される（例えば、特許文献１参照）。
【０００３】
前記錠機構は、予め決められた解錠符号列を記憶するための記憶機構を備えている。ここで、「解錠符号列」とは、解錠のためのつまみ操作を許容する各ダイヤルの符号の並びをいう。例えばロッカー使用者は、ロッカーに荷を出し入れするに際し、ダイヤル操作により解錠符号列を整列させて錠機構を解錠した後、扉を開くためにつまみ操作を行ってカムプレートを受け金具より外す。次に、ロッカーに荷を出し入れした後、扉を閉じるためにつまみ操作を行ってカムプレートを受け金具に掛け、その後、ダイヤル操作により解錠符号列を崩して錠機構を施錠する。
【０００４】
前記前面プレートは、つまみが配置される位置に円形の開口部が形成され、前記胴体部の前記開口部に対応する位置にはシリンダ錠が組み込まれている。前記つまみは前記前面プレート上の開口部の位置に回動自由に設けられており、つまみとシリンダ錠の外筒とが一体に結合されている。シリンダ錠は、外筒と、外筒内に回動自由に支持される内筒と、内筒内に配備される複数のディスクタンブラーとを有している。ディスクタンブラーが外筒に係合するとき、外筒に対する内筒の回動が規制される。内筒内へ所定の鍵（マスターキー）が挿入されると、ディスクタンブラーが内筒内に退避し、内筒と外筒との関わりが切れ、内筒は外筒内で回動自由となる。したがって、ロッカー使用者が解錠符号列を忘れた場合には、たとえ錠機構が施錠状態であっても、鍵をシリンダ錠の内筒内に差し込むことで、内筒と一体にカムプレートを回動させて受け金具より外すことができる。
【先行技術文献】
【特許文献】
【０００５】
【特許文献１】特開２００８−１９０２１５号公報
【発明の概要】
【発明が解決しようとする課題】
【０００６】
ところで、ダイヤル錠は、組み付けられる扉の厚みに錠本体の高さ（厚み）をほぼ一致させる必要があり、このため、錠本体に組み込まれるシリンダ錠の筒長さにも制約がある。ダイヤル錠は種々の用途に用いられるもので、高いセキュリティが要求される場合、シリンダ錠のディスクタンブラーの数を増す必要があるが、シリンダ錠の筒長さに前記の制約があるため、それには限界がある。この問題を解消するのに、シリンダ錠を前面プレートから突出させるようにして組み込むことも考えられるが、そのような構造の場合、シリンダ錠の突出部分に外圧が加えられると、強制的に解錠されるおそれがあり、却ってセキュリティを低下させてしまう。
【０００７】
この発明は、上記の問題に着目したなされたもので、筒長さの長いシリンダ錠を前面プレートより突出させるようにして組み込むことが可能であり、そのうえ、シリンダ錠の突出部分を外圧から保護し、強制的な解錠が困難な構造となすことにより、セキュリティを向上させたダイヤル錠を提供することを目的とする。
【課題を解決するための手段】
【０００８】
この発明によるダイヤル錠は、前面プレート上に、ダイヤル錠の錠機構を施錠、解錠するのに操作される複数個のダイヤルと、カムプレートを正逆各方向へ回動するのに操作されるつまみとが配置されたものであり、前記つまみは、前記錠機構が施錠状態のとき回動操作が規制され解錠状態のとき回動操作が許容されるようになっている。前記前面プレートは、前記つまみが配置される位置に前面より突出する円筒状の筒壁が一体形成されており、前記筒壁の内側にはシリンダ錠が配置され、前記筒壁上には前記つまみが回動操作可能に被せられている。前記つまみは、筒壁の外周面に沿う外壁部と、筒壁の内周面に沿う内壁部と、筒壁の開口端面に沿う上壁部とを一体に有し、前記内壁部に前記シリンダ錠の外筒が一体に結合されるとともに、前記シリンダ錠の内筒に前記カムプレートが連結されている。前記シリンダ錠は、内筒の端面に、内筒と外筒との関わりを切って内筒を外筒内で回動自由にするための鍵の挿入口を有し、前記内筒の端面を前記つまみの上壁部により囲まれる開口部に臨ませている
【０００９】
この発明によるダイヤル錠において、解錠符号列が崩されて錠機構が施錠状態になっているとき、つまみの回動操作が不能であり、扉を開放できない。４個のダイヤルを操作して解錠符号列を整列させると、錠機構が解錠動作し、つまみの回動操作が可能となる。つまみを回動操作すると、つまみと一体にシリンダ錠の外筒が回動し、外筒と一体に内筒が回動するもので、内筒と一体にカムプレートが回動する。
【００１０】
解錠符号列を忘れてしまった場合、鍵の挿入口より内筒内へ鍵（マスターキー）を挿入すると、内筒と外筒との関わりが切れ、内筒が外筒内で回動自由となる。鍵を回すと、内筒が一体に回動し、内筒と一体にカムプレートが回動するもので、たとえ錠機構が施錠状態であっても、扉の開放が可能である。
前記シリンダ錠は、前面プレートに一体形成された筒壁の内側に配置されており、筒壁にガードされた状態でシリンダ錠を前面プレートより突出させているので、筒長さの長いシリンダ錠を用いることができ、セキュリティが向上する。また、シリンダ錠の前面プレートからの突出部分は筒壁により防御されているので、シリンダ錠の突出部分に外圧が加えられるおそれがなく、セキュリティを低下させない。
【００１１】
この発明の好ましい実施態様においては、前記つまみは、内壁部の対角位置に、先端に内向きの鉤状部を有するバネ板部を備え、前記鉤状部をシリンダ錠の外筒の外周面に形成された溝部に係合させることにより、つまみの内壁部にシリンダ錠の外筒が一体に結合されている。
【００１２】
この実施態様によると、つまみの内壁部の対向部分に設けられた各バネ板部を外側へ弾性変形させて先端の鉤状部をシリンダ錠の外筒の溝部へ導き、バネ板部の復元力で鉤状部を溝部に係合させる。これにより鉤状部は溝部に抜止状態となり、つまみと外筒とが一体に結合される。このように、つまみの内壁部にシリンダ錠の外筒を簡単に一体に結合できるうえに、両者の結合は強固となり、分離のおそれがない。
【発明の効果】
【００１３】
この発明によれば、前面プレートに一体形成された筒壁内に防御された状態でシリンダ錠を前面プレートより突出させているので、筒長さの長いシリンダ錠を用いることができ、セキュリティが向上する。また、筒壁によりシリンダ錠は防御されているので、突出部分に外圧が加えられて強制的に解錠されるおそれはなく、セキュリティを低下させない。
【図面の簡単な説明】
【００１４】
【図１】この発明の一実施例であるダイヤル錠の外観を示す斜視図である。
【図２】図１のダイヤル錠の外観を示す正面図である。
【図３】前面パネルとつまみとシリンダ錠の外筒とを分解して示す斜視図である。
【図４】図１のダイヤル錠の一部を破断した側面図である。
【図５】この発明の他の実施例である把手を備えたダイヤル錠を示す正面図である。
【発明を実施するための形態】
【００１５】
図１および図２は、この発明の一実施例であるダイヤル錠１の外観を示している。
図示のダイヤル錠１は、ロッカーの扉などに組み付けられるもので、直方体をなす合成樹脂製の胴体部１０の中空内部にダイヤル錠の錠機構（以下「第１の錠機構」という。）３とシリンダ錠の錠機構（以下「第２の錠機構」という。）４とが組み込まれるとともに、胴体部１０の前面の開放部分に合成樹脂製の前面プレート２が嵌め込まれている。
なお、図示のダイヤル錠は、図１および図２に示された向き（縦向き）で扉に組み付けられるもので、前面プレート２の側を前、胴体部１０の側を後、後述するつまみ５が設けられている側を下、その反対側を上とする。
【００１６】
前面プレート２には、図３に示すように、つまみ５が配置される位置に前面より突出する円筒状の筒壁２０が一体形成されている。また、４個のダイヤル６が配置される位置には前面よりわずかに盛り上がった帯状の台部２１が上下方向に一体形成されている。筒壁２０上には円筒状のつまみ５が筒壁２０を周回ガイドとして回動操作可能に被せられている。台部２１には４個の窓孔２２が等間隔に開設され、各窓孔２２の位置にダイヤル６が回動操作可能に配置されている。
【００１７】
各窓孔２２は、矩形状の窓部２３と直線状の長孔部２４とを連続させたものである。各ダイヤル６は、外周面に０〜９の１０個の数字が等角度位置に表された円環状の文字表示部６１と、外周に沿って１０個の指懸かり部６３が等角度間隔に突設された円環状のダイヤル操作部６２とが一体結合されたものであり、窓孔２２の窓部２３に文字表示部６１の外周面を臨ませ、長孔部２４からはダイヤル操作部６２の指懸かり部６３を突出させている。文字表示部６１に表された１０個の数字は解錠符号列を生成するためのもので、解錠および施錠に際して、４個のダイヤル６のダイヤル操作部６２を回動操作して解錠符号列を縦一列に揃えたり、揃ったものを崩したりする。
【００１８】
前記胴体部１０の内部には、図４に示すように、４個の窓孔２２にわたる位置に第１の錠機構３が、また、筒壁２０の位置に第２の錠機構４が、それぞれ組み込まれている。解錠符号列は第１の錠機構３中の記憶機構（図示せず）に記憶されており、複数個のダイヤル６を回動操作して解錠符号列を整列させると、第１の錠機構３は解錠状態となり、つまみ５を回動操作してカムプレート７を回動させることができる。カムプレート７は、胴体部１０の後面に１８０度の角度範囲にわたり正逆方向に回動自由に設けられており、扉が設置される壁面の側に取り付けられた受け金具（図示せず）に係脱する。複数のダイヤル６を回動操作して解錠符号を崩すと、第１の錠機構３は施錠状態となり、つまみ５を回動操作することができなくなる。
【００１９】
各ダイヤル６は、１本の作動軸３０上に等間隔に回動自由に支持されている。記憶される解錠符号は、ダイヤル６と図示しないロックギヤとを噛み合わせたときの相対角度位置により決まるもので、この種の記憶機構は公知であり（例えば特許文献１参照）、ここでは説明を省略する。また、第１の錠機構３が施錠状態のとき、つまみ５と反対方向に向けての作動軸３０の軸方向の移動が規制されるため、つまみ５を回動操作することができない。一方、第１の錠機構３が解錠状態のとき、つまみ５と反対方向に向けての作動軸３０の軸方向の移動が許容されるため、つまみ５を回動操作することができる。上記した第１の錠機構３の施錠、解錠の仕組みも公知であり（例えば特許文献１参照）、ここでは説明を省略する。
【００２０】
前記筒壁２０の内側には、第２の錠機構４を構成するシリンダ錠４０が組み込まれている。また、筒壁２０上には円筒状のつまみ５が回動操作可能に被せられている。
つまみ５は、前面パネル２の筒壁２０の外周面に沿う外壁部５０と、筒壁２０の内周面に沿う内壁部５１と、筒壁２０の開口端面に沿う上壁部５２とを一体に有するもので、上壁部５２により囲まれる内側は円形の開口部５３となっている。
【００２１】
シリンダ錠４０は、図４に示される結合機構５６によってつまみ５と一体結合された外筒４１と、外筒４１内に回動自由に支持される内筒４２と、内筒４２内に外筒４１と係合するように設けられる複数のディスクタンブラー４３とを含んでいる。内筒４２の後端には、バックケース７０に回動自由に支持されるエンドシャフト７１が嵌められている。このエンドシャフト７１の後端は胴体部１０の後面より突出し、その突出部分にカムプレート７がネジ７２により固定されており、内筒４２と一体にエンドシャフト７１およびカムプレート７が回動する。内筒４２の前端面４２ａには鍵の挿入口４４が開口しており、つまみ５の開口部５３に内筒４２の前端面４２ａを臨ませている。
【００２２】
前記結合機構５６は、図４に示されるように、つまみ５の内壁部５１の対角位置に設けられたバネ板部５４，５４と、シリンダ錠４０の外筒４１の外周面の対角位置に設けられた溝部４５，４５とから成る。各バネ板部５４の先端には溝部４５と係合する鉤状部５５が内向きに形成されている。各バネ板部５４，５４を外側へ弾性変形させて先端の鉤状部５５，５５をシリンダ錠４０の外筒４１の溝部４５，４５へ導き、バネ板部５４の復元力で鉤状部５５，５５を溝部４５，４５に係入させることにより、鉤状部５５，５５は溝部４５，４５に抜止状態となって、つまみ５の内壁部５１とシリンダ錠４０の外筒４１とが一体結合される。
【００２３】
シリンダ錠４０の外筒４１の外周面にはカム面４６が形成され、カム面４６作動軸３０の一端部のカム機構３１が突き当てられている。解錠状態では、つまみ５と一体に外筒４１を回動させ、外筒４１のカム面４６がカム機構３１を押したとき、作動軸３０が軸方向へ移動することが可能であるので、つまみ５を１８０度回すことができる。
施錠状態では、つまみ５と一体に外筒４１を回動させ、外筒４１のカム面４６がカム機構３３を押したとき、作動軸３０は軸方向へ移動することが不能となっているので、つまみ５を回すことができない。
【００２４】
シリンダ錠４０の内筒４２内には複数のディスクタンブラー４３が設けられている。鍵の挿入口４４へ鍵が挿入されると、ディスクタンブラー４３が内筒４２内に退避することにより、内筒４２と外筒４１との関わりが切れ、内筒４２が外筒４１内で回動自由となる。鍵を回すと、内筒４２が一体に回動し、内筒４２と一体にカムプレート７が回動するもので、たとえ第１の錠機構３が施錠状態であっても、扉の開放が可能である。
【００２５】
上記した構成のダイヤル錠１では、前面プレート２に一体形成された筒壁２０の内側にシリンダ錠４０が配置されており、筒壁２０によって防御された状態でシリンダ錠４０を前面プレート２より突出させている。したがって、筒長さの長いシリンダ錠４０を用いることができるもので、ディスクタンブラ−４３の枚数を増やすことができ、セキュリティが向上する。また、シリンダ錠４０の前面プレート２からの突出部分は筒壁２０の内側に位置し、筒壁２０により防御されているので、つまみ５に対して外圧が加えられても、その外圧は筒壁２０によって受け止められ、シリンダ錠４０の前面プレート２からの突出部分に作用することがない。したがって、シリンダ錠４０が強制的に解錠されるのが防止され、セキュリティを低下させない。
【００２６】
なお、上記の実施例は、４個のダイヤル６を縦並びに設け、その下方につまみ５を配置した構成のものであるが、この発明は、これに限らず、ダイヤル６の数が異なるもの、さらには、ダイヤル６とつまみ５とが横並びに配列されているものなど、種々の態様のものにも実施することができる。
また、上記の実施例は、扉に組み付けられたとき、つまみ５が把手の役割を兼ね、つまみ５を持って扉の開閉を行うが、図５に示す実施例のように、胴体部１０の一側に凹部などよりなる把手８を一体形成することもできる。図中、９は胴体部１０に組み込まれたラッチである。なお、把手８以外の構成は、図１〜図４に示した実施例と同様であり、ここでは対応する構成に同じ符号を付することで説明を省略する。
【００２７】
さらに、上記の実施例では、解錠符号列は固定されており、必要が生じたとき、ロッカー提供者が解錠符号列の変更が可能なように胴体部１０の裏側に解錠符号列を変更するための操作部（図示せず）が設けられているが、この発明はこれに限らず、ロッカー使用者において解錠符号列を自由に設定できる構成のダイヤル錠にも適用できる。
【符号の説明】
【００２８】
１    ダイヤル錠
２    前面プレート
３    第１の錠機構
４    第２の錠機構
５    つまみ
６    ダイヤル
７    カムプレート
２０  筒壁
４０  シリンダ錠
４１  外筒
４２  内筒
４４  鍵の挿入口
４５  溝部
５０  外壁部
５１  内壁部
５２  開口部
５４  バネ板部
５５  鉤状部
【図１】
0006584910.tif 000002
【図２】
0006584910.tif 000003
【図３】
0006584910.tif 000004
【図４】
0006584910.tif 000005
【図５】
0006584910.tif 000006